(57)【要約】【課題】ロック部及びロック受け部を介して、電気信号を伝送することを可能としたコネクタ組立体を提供する。【解決手段】コネクタ組立体１は、コネクタ２と、コネクタ２が嵌合する相手コネクタ３とからなる。コネクタ２は、ハウジング１０の四隅にそれぞれロック部３２を有する金属製のロック部材３０を備える。相手コネクタ３は、相手ハウジング４０のハウジング嵌合用凹部４１の四隅にロック部３２の各々を受けるロック受け部６３を有する金属製のロック受け部材６０を備える。各ロック部３２は、各ロック受け部６３に弾性的に接触して電気的接続を担う接触片３３を有する。【選択図】図２
2016110706.tif 000002
【特許請求の範囲】
【請求項１】
コネクタと、前記コネクタが嵌合する相手コネクタとからなり、
前記コネクタは、左右方向及び前後方向延びる略四角形状体状に形成されたハウジングと、該ハウジングに取り付けられ、前記ハウジングの四隅にそれぞれロック部を有する金属製のロック部材とを備え、
前記相手コネクタは、前記コネクタの前記ハウジングが嵌合するハウジング嵌合用凹部を有する相手ハウジングと、該相手ハウジングに取り付けられ、前記ハウジング嵌合用凹部の四隅に前記ロック部の各々を受けるロック受け部を有する金属製のロック受け部材とを備え、
前記ロック部のそれぞれは、前記ロック受け部のそれぞれに弾性的に接触して電気的接続を担う接触片を有することを特徴とするコネクタ組立体。
【請求項２】
前記ロック部材は、前記ハウジングの左右方向の左端に配置され、前記ハウジングの左右方向左端側における前後方向の２つの角隅に２つの前記ロック部を備えた第１ロック部材と、前記ハウジングの左右方向の右端に配置され、前記ハウジングの左右方向右端側における前後方向の２つの角隅に残り２つの前記ロック部を備えた第２ロック部材とを具備し、
前記ロック受け部材は、前記相手ハウジングの左右方向の左端に配置され、前記相手ハウジングの左右方向左端側における前後方向の２つの角隅に２つの前記ロック部を受ける２つの前記ロック受け部を備えた第１ロック受け部材と、前記相手ハウジングの左右方向の右端に配置され、前記相手ハウジングの左右方向右端側における前後方向の２つの角隅に残り２つの前記ロック部を受ける２つの前記ロック受け部を備えた第２ロック受け部材とからなり、
前記ロック部材には前記コネクタが実装される回路基板に接続されるロック部材側基板接続部が設けられると共に、前記ロック受け部材には前記相手コネクタが実装される相手回路基板に接続されるロック受け部材側基板接続部が設けられ、
前記ロック部側基板接続部は前記第１ロック部材及び前記第２ロック部材の双方に設けられると共に、前記ロック受け部材側基板接続部は、前記第１ロック受け部材及び前記第２ロック受け部材の双方に設けられることを特徴とする請求項１記載のコネクタ組立体。
【請求項３】
前記ロック受け部のそれぞれは、前記ロック部のそれぞれの前記接触片を受容する穴を有し、それぞれの前記接触片は前記穴の縁に弾性的に接触することを特徴とする請求項１又は２記載のコネクタ組立体。
【請求項４】
それぞれの前記接触片の外面は円弧面で形成されるとともに、前記穴の縁は円弧面で形成された前記接触片の外面に沿う形を有し、前記接触片の外面が前記穴の縁に線接触で接触することを特徴とする請求項３記載のコネクタ組立体。
【請求項５】
前記ロック部のそれぞれの前記接触片は、一対の接触片部で構成されていることを特徴とする請求項１乃至４のうちいずれか一項に記載のコネクタ組立体。
【請求項６】
前記一対の接触片部の一方は、前記ロック部材側基板接続部から前記ハウジングの前後方向端面に沿って略Ｌ字状に延びて、その先端を前記ハウジングの角隅近傍に位置させ、前記一対の接触片部の他方は、前記ロック部材側基板接続部から前記ハウジングの左右方向端面に沿って略Ｌ字状に延びて、その先端を前記ハウジングの角隅近傍に位置させ、前記一対の接触片部の双方は、それらの前記先端がロック受け部に受け入れられて前記コネクタが前記相手コネクタにロックされることを特徴とする請求項５記載のコネクタ組立体。
【発明の詳細な説明】
【技術分野】
【０００１】
本発明は、ハウジングの四隅にそれぞれロック部を備えたコネクタと、相手ハウジングにロック部の各々を受けるロック受け部を備えた相手コネクタとからなるコネクタ組立体に関する。
【背景技術】
【０００２】
従来より、安定した嵌合状態及び保持力を得るために、コネクタに、ハウジングの四隅にそれぞれロック部を設け、相手コネクタに、各ロック部を受けるロック受け部を設けたコネクタ組立体が開発されている。
従来のこの種のコネクタ組立体として、例えば、特許文献１に示すものが知られている。
【０００３】
特許文献１に示すコネクタ組立体は、回路基板上に実装されるコネクタと、相手回路基板上に実装され、前記コネクタが嵌合する相手コネクタとからなっている。そして、コネクタは、略矩形状に形成されたハウジングの長手方向両端部に一対のロック部材を備えている。一対のロック部材のうち一方のロック部材は、ハウジングの長手方向一端における短手方向の２つの角隅近傍に２つのロック部を有している。また、一対のロック部材のうち他方のロック部材は、ハウジングの長手方向他端における短手方向の２つの角隅近傍に２つのロック部を有している。
【０００４】
また、相手コネクタは、コネクタのハウジングが嵌合される相手ハウジングの長手方向両端部に一対のロック受け部材を備えている。一対のロック受け部材のうち一方のロック受け部材は、相手ハウジングの長手方向一端における短手方向の２つの角隅近傍に２つのロック受け部を有している。また、一対のロック受け部材のうち他方のロック受け部材は、相手ハウジングの長手方向他端における短手方向の２つの角隅近傍に２つのロック受け部を有している。
【先行技術文献】
【特許文献】
【０００５】
【特許文献１】特開２００１−５７２７３号公報
【発明の概要】
【発明が解決しようとする課題】
【０００６】
しかしながら、この従来の特許文献１に記載されたコネクタ組立体にあっては、以下の問題点があった。
即ち、特許文献１に記載されたコネクタ組立体の場合、コネクタが相手コネクタに嵌合する際に、コネクタの４つのロック部が相手コネクタの４つのロック受け部に受け入れられてロックされる。この際に、各ロック部と各ロック受け部とが離間してしまうことがある。このため、ロック部材及びロック受け部材を介して、回路基板と相手回路基板との間に電気信号、特に電源を伝送することができない。
【０００７】
従って、本発明は上述の問題点を解決するためになされたものであり、その目的は、ハウジングの四隅にそれぞれロック部を備えたコネクタと、相手ハウジングにロック部の各々を受けるロック受け部を備えた相手コネクタとからなるコネクタ組立体において、ロック部及びロック受け部を介して、電気信号を伝送することを可能としたコネクタ組立体を提供することにある。
【課題を解決するための手段】
【０００８】
上記課題を達成するために、本発明の一態様に係るコネクタ組立体は、  コネクタと、前記コネクタが嵌合する相手コネクタとからなり、前記コネクタは、左右方向及び前後方向延びる略四角形状体状に形成されたハウジングと、該ハウジングに取り付けられ、前記ハウジングの四隅にそれぞれロック部を有する金属製のロック部材とを備え、前記相手コネクタは、前記コネクタの前記ハウジングが嵌合するハウジング嵌合用凹部を有する相手ハウジングと、該相手ハウジングに取り付けられ、前記ハウジング嵌合用凹部の四隅に前記ロック部の各々を受けるロック受け部を有する金属製のロック受け部材とを備え、前記ロック部のそれぞれは、前記ロック受け部のそれぞれに弾性的に接触して電気的接続を担う接触片を有することを要旨とする。
【発明の効果】
【０００９】
本発明に係るコネクタ組立体によれば、コネクタ側の金属製のロック部材におけるロック部のそれぞれは、相手コネクタ側の金属製のロック受け部材におけるロック受け部のそれぞれに弾性的に接触して電気的接続を担う接触片を有する。このため、コネクタが相手コネクタに嵌合する際に、コネクタ側のロック部材における各ロック部の接触片が相手コネクタ側のロック受け部材における各ロック受け部に弾性的に接触して電気的に接続する。これにより、ロック部及びロック受け部を介して、電気信号を伝送することができる。
【図面の簡単な説明】
【００１０】
【図１】本発明に係るコネクタ組立体の実施形態の斜視図である。
【図２】図１に示すコネクタ組立体を構成するコネクタと相手コネクタとが嵌合する前の状態の斜視図である。
【図３】コネクタを示し、（Ａ）は嵌合面側から見た斜視図、（Ｂ）は嵌合面と反対面側から見た斜視図である。
【図４】相手コネクタを示し、（Ａ）は嵌合面側から見た斜視図、（Ｂ）は嵌合面と反対面側から見た斜視図である。
【図５】図３に示すコネクタに用いられる第１ロック部材を示し、（Ａ）は嵌合面側から見た斜視図、（Ｂ）は嵌合面と反対面側から見た斜視図、（Ｃ）は嵌合面側から見た平面図、（Ｂ）は正面図である。
【図６】図４に示す相手コネクタに用いられる第１ロック受け部材を示し、（Ａ）は嵌合面側から見た斜視図、（Ｂ）は嵌合面と反対面側から見た斜視図、（Ｃ）は嵌合面側から見た平面図である。
【図７】コネクタが相手コネクタに嵌合する際の、第１ロック部材が第１ロック受け部材に受け入れられる前の状態を示し、（Ａ）は第１ロック受け部材の嵌合面側から見た斜視図、（Ｂ）は第１ロック部材の嵌合面側から見た斜視図である。
【図８】コネクタが相手コネクタに嵌合し、第１ロック部材が第１ロック受け部材に受け入れられた状態を示し、（Ａ）は第１ロック受け部材の嵌合面側から見た斜視図、（Ｂ）は第１ロック部材の嵌合面側から見た斜視図である。
【図９】コネクタが相手コネクタに嵌合し、第１ロック部材が第１ロック受け部材に受け入れられた状態を示し、（Ａ）は第１ロック受け部材の嵌合面側から見た平面図、（Ｂ）は第１ロック部材の嵌合面側から見た平面図である。
【発明を実施するための形態】
【００１１】
以下、本発明に係るコネクタ組立体の実施形態を図面を参照して説明する。
図１及び図２に示すコネクタ組立体１は、図示しない回路基板と、図示しない相手回路基板とを接続するものである。回路基板及び相手回路基板としては、ＦＰＣ（フレキシブル回路基板）や剛性のある回路基板が例示される。
ここで、図１及び図２に示すコネクタ組立体１は、回路基板上に実装されるコネクタ２と、相手回路基板上に実装され、コネクタ２が嵌合する相手コネクタ３とからなる。
【００１２】
先ず、コネクタ２は、図１及び図２に示すように、回路基板上に実装されるハウジング１０と、複数のコンタクト２０と、ロック部材３０とを備えている。
ハウジング１０は、図３（Ａ），（Ｂ）に示すように、左右方向（図３（Ａ）においてハウジング１０の長手方向）及び左右方向と直交する前後方向（図３（Ａ）においてハウジング１０の短手方向）の略四角形状体状に形成される。具体的には、ハウジング１０は、左右方向に長く延び、前後方向に短く延びる略矩形状に形成される。ハウジング１０は、絶縁性の合成樹脂を成形することによって形成される。ハウジング１０は、相手ハウジング４０との嵌合面側（図３（Ａ）における上面側）において、相手ハウジング嵌合用凹部１１が形成されている。以降、コネクタ２につき、嵌合面側を上側、その反対側を下側とする。相手ハウジング嵌合用凹部１１は、ハウジング１０の左右方向及び前後方向の中央領域においてハウジング１０の左右方向に長く延びる略略形状に形成されている。相手ハウジング嵌合用凹部１１には、相手ハウジング４０の後述する中央隆起部４２が嵌合可能となっている。
【００１３】
ハウジング１０には、ハウジング１０の左右方向の左端（図３（Ａ）における左端）に第１ロック部材取付部１２ａが形成され、ハウジング１０の左右方向の右端に第２ロック部材取付部１２ｂが形成される。また、ハウジング１０の前後方向の前端（図３（Ａ）における前端）に第１側壁１３ａが形成され、ハウジング１０の前後方向の後端に第２側壁１３ｂが形成される。第１ロック部材取付部１２ａの前後両端及び第２ロック部材取付部１２ｂの前後両端は、第１側壁１３ａの左右両端及び第２側壁１３ｂの左右両端に連結される。第１ロック部材取付部１２ａ、第２ロック部材取付部１２ｂ、第１側壁１３ａ及び第２側壁１３ｂにより、相手ハウジング嵌合用凹部１１を画定する。そして、第１ロック部材取付部１２ａの左端面の中央部には、上側から下側に向けて延びる第１隔壁１４ａが形成されている。また、第２ロック部材取付部１２ｂの右端面の中央部にも、上側から下側に向けて延びる第２隔壁１４ｂが形成されている。
【００１４】
また、複数のコンタクト２０は、図３（Ａ）に示すように、ハウジング１０の第１側壁１３ａと第２側壁１３ｂとに２列状に取り付けられている。第１側壁１３ａに取り付けられた複数のコンタクト２０は、ハウジング１０の左右方向に沿って所定ピッチで配置される。また、第２側壁１３ｂに取り付けられた複数のコンタクト２０も、ハウジング１０の左右方向に沿って所定ピッチで配置される。第１側壁１３ａに取り付けられた複数のコンタクト２０と、第２側壁１３ｂに取り付けられた複数のコンタクト２０とは、同一の形状をなし、ハウジング１０の長手方向に延びる中心線に対して線対称となるように配置される。
【００１５】
そして、各コンタクト２０は、導電性金属板を打抜き及び曲げ加工することによって形成され、接触部２１と、基板接続部２２とを備えている。第１側壁１３ａに取り付けられたコンタクト２０の接触部２１は、第１接触部２１ａと、第２接触部２１ｂとを備えている。第１接触部２１ａは、第１側壁１３ａの内面に沿って相手ハウジング嵌合用凹部１１内に上下方向に延びる。第２接触部２１ｂは、第１接触部２１ａから連続し第１側壁１３ａの外面（前面）に沿って上下方向に延びる。また、第１側壁１３ａに取り付けられたコンタクト２０の基板接続部２２は、ハウジング１０の下面において第１側壁１３ａから外方（前方）に延びている。また、第２側壁１３ｂに取り付けられたコンタクト２０の接触部２１は、第１接触部２１ａと第２接触部２１ｂとを備えている。第１接触部２１ａは、第２側壁１３ｂの内面に沿って相手ハウジング嵌合用凹部１１内に延びる。第２接触部２１ｂは、第２側壁１３ｂの外面（後面）に沿って延びる。第２側壁１３ｂに取り付けられたコンタクト２０の基板接続部２２は、ハウジング１０の下面において第２側壁１３ｂから外方（後方）に延びている。各コンタクト２０の基板接続部２２は、回路基板上の信号用導電パッドに半田接続される。
【００１６】
次に、ロック部材３０は、コネクタ２を相手コネクタ３に嵌合した際に、コネクタ２を相手コネクタ３に対してロックするものであり、第１ロック部材３０Ａと、第２ロック部材３０Ｂとからなっている。
第１ロック部材３０Ａは、図３（Ａ），（Ｂ）に示すように、ハウジング１０の左右方向の左端に設けられた第１ロック部材取付部１２ａに取り付けられる。第１ロック部材３０Ａは、図３（Ａ），（Ｂ）及び図５に示すように、ロック部材側基板接続部３１、２つのロック部３２、及び２つの固定部３４を備えている。第１ロック部材３０Ａは、導電性金属板を打抜き及び曲げ加工することによって形成される。
【００１７】
第１ロック部材３０Ａのロック部材側基板接続部３１は、図３（Ｂ）及び図５に示すように、ハウジング１０の左右方向を短手方向とし、ハウジング１０の前後方向を長手方向とするように略矩形平板状に形成される。このロック部材側基板接続部３１は、図３（Ｂ）に示すように、第１ロック部材３０Ａが第１ロック部材取付部１２ａに取り付けられた際に、第１ロック部材取付部１２ａの下面を覆う。ロック部材側基板接続部３１は、回路基板上の図示しない信号用あるいは電源用の導電パッドに接続され、信号伝送あるいは電源伝送用に用いられる。また、ロック部材側基板接続部３１は、回路基板上の信号用あるいは電源用の導電パッドに接続されてコネクタ２を回路基板に固定する機能をも有する。
【００１８】
そして、第１ロック部材３０Ａの２つのロック部３２は、第１ロック部材取付部１２ａの左端側におけるハウジング１０の前後方向の２つの角隅に対応する位置に設けられる。２つのロック部３２間には、図３及び図５に示すように、第１隔壁１４ａが入り込む間隙３５が形成される。
【００１９】
先ず、第１ロック部材取付部１２ａの左端側におけるハウジング１０の前後方向前側の角隅に位置するロック部３２について説明する。このロック部３２は、相手コネクタ３側の後述する後側のロック受け部６３に受け入れられてコネクタ２を相手コネクタ３にロックするものである。ロック部３２は、一対の接触片部３３ａ，３３ｂで構成された接触片３３で構成されている。そして、一対の接触片部３３ａ，３３ｂの間には、図３（Ａ）及び図５（Ａ）に示すように、第１ロック部材取付部１２ａの前側の角隅が露出する間隙３６が形成される。ここで、一対の接触片部３３ａ，３３ｂのうち一方の接触片部３３ａは、図５に示すように、ロック部材側基板接続部３１の左端縁から略Ｌ字形に延びる。そして、一方の接触片部３３ａは、先端を図３（Ａ）に示すように第１ロック部材取付部１２ａの前側の角隅近傍に位置させる。つまり、一方の接触片部３３ａは、ロック部材側基板接続部３１の左端縁から第１ロック部材取付部１２ａの左端面に沿って上方に延びている。また、一方の接触片部３３ａは、第１ロック部材取付部１２ａの上端近傍から前側に曲がって第１ロック部材取付部１２ａの前側の角隅近傍にまで延びている。そして、一方の接触片部３３ａの、第１ロック部材取付部１２ａの上端近傍から第１ロック部材取付部１２ａの角隅近傍に向かう部分の外面は、円弧面で形成されている。また、他方の接触片部３３ｂは、図５に示すように、ロック部材側基板接続部３１の前端縁から略Ｌ字形に延びる。そして、他方の接触片部３３ｂは、図３（Ａ）に示すように、先端を第１ロック部材取付部１２ａの前側の角隅近傍に位置させる。つまり、他方の接触片部３３ｂは、ロック部材側基板接続部３１の前端縁から第１ロック部材取付部１２ａの前端面に沿って上方に延びている。また、他方の接触片部３３ｂは、第１ロック部材取付部１２ａの上端近傍から左側に曲がって第１ロック部材取付部１２ａの前側の角隅近傍にまで延びている。そして、他方の接触片部３３ｂの、第１ロック部材取付部１２ａの上端近傍から第１ロック部材取付部１２ａの角隅近傍に向かう部分の外面は、円弧面で形成されている。
【００２０】
そして、これら一対の接触片部３３ａ，３３ｂは、図８（Ａ）に示すように、コネクタ２を相手コネクタ３に嵌合する際に、相手コネクタ３のロック受け部６３の後述する穴６３ａにそれらの先端が入り込む。これにより、コネクタ２を相手コネクタ３にロックする。この際に、一対の接触片部３３ａ，３３ｂの外面は、ロック受け部６３の穴６３ａの縁に弾性的に接触して電気的接続を担う。これについては後に詳述する。
【００２１】
次に、第１ロック部材取付部１２ａの左端側におけるハウジング１０の前後方向後側の角隅に位置するロック部３２について説明する。このロック部３２は、相手コネクタ３側の後述する前側のロック受け部６３に受け入れられてコネクタ２を相手コネクタ３にロックする。ロック部３２は、ハウジング１０の前後方向前側の角隅に位置するロック部３２と同様に、一対の接触片部３３ａ，３３ｂで構成された接触片３３で構成されている。そして、一対の接触片部３３ａ，３３ｂの間には、図３（Ｂ）及び図５（Ｂ）に示すように、第１ロック部材取付部１２ａの後側の角隅が露出する間隙３６が形成される。そして、一対の接触片部３３ａ，３３ｂのうち一方の接触片部３３ａは、図５に示すように、ロック部材側基板接続部３１の左端縁から略Ｌ字形に延びる。そして、一方の接触片部３３ａは、先端を図３（Ｂ）に示すように第１ロック部材取付部１２ａの後側の角隅近傍に位置させる。つまり、一方の接触片部３３ａは、図５（Ｄ）に示すように、前側のロック部３２の一方の接触片部３３ａと対称形状をなし、ロック部材側基板接続部３１の左端縁から第１ロック部材取付部１２ａの左端面に沿って上方に延びている。また、一方の接触片部３３ａは、第１ロック部材取付部１２ａの上端近傍から後側に曲がって第１ロック部材取付部１２ａの後側の角隅近傍にまで延びている。そして、一方の接触片部３３ａの、第１ロック部材取付部１２ａの上端近傍から第１ロック部材取付部１２ａの角隅近傍に向かう部分の外面は、円弧面で形成されている。また、他方の接触片部３３ｂは、図５に示すように、ロック部材側基板接続部３１の後端縁から略Ｌ字形に延びる。そして、他方の接触片部３３ｂは、先端を図３（Ｂ）に示すように第１ロック部材取付部１２ａの後側の角隅近傍に位置させる。つまり、他方の接触片部３３ｂは、ロック部材側基板接続部３１の後端縁から第１ロック部材取付部１２ａの後端面に沿って上方に延びている。また、他方の接触片部３３ｂは、第１ロック部材取付部１２ａの上端近傍から左側に曲がって第１ロック部材取付部１２ａの後側の角隅近傍にまで延びている。そして、他方の接触片部３３ｂの、第１ロック部材取付部１２ａの上端近傍から第１ロック部材取付部１２ａの角隅近傍に向かう部分の外面は、円弧面で形成されている。
【００２２】
そして、これら一対の接触片部３３ａ，３３ｂも、図８（Ａ）に示すように、コネクタ２を相手コネクタ３に嵌合する際に、相手コネクタ３のロック受け部６３の後述する穴６３ａにそれらの先端が入り込む。これにより、コネクタ２を相手コネクタ３にロックする。この際に、一対の接触片部３３ａ，３３ｂの外面は、ロック受け部６３の穴６３ａの縁に弾性的に接触して電気的接続を担う。これについても後に詳述する。
【００２３】
また、第１ロック部材３０Ａの２つの固定部３４は、図５（Ａ），（Ｃ）に示すように、ロック部材側基板接続部３１の右端縁に前後方向において所定間隔を開けて上方に立ち上がるように形成される。各固定部３４は、ハウジング１０の第１ロック部材取付部１２ａの下面から圧入固定されるものであり、両側面に一対のバーブ３４ａが設けられている。
【００２４】
次に、ロック部材３０を構成する第２ロック部材３０Ｂは、図３（Ａ），（Ｂ）に示すように、ハウジング１０の左右方向の右端に設けられた第２ロック部材取付部１２ｂに取り付けられる。第２ロック部材３０Ｂは、ロック部材側基板接続部３１、２つのロック部３２、及び２つの固定部３４を備えている。但し、第２ロック部材３０Ｂは、第１ロック部材３０Ａと左右対称形状をなし、その構造は第１ロック部材３０Ａと同一であるため、その説明を省略する。
【００２５】
一方、コネクタ２が嵌合する相手コネクタ３は、図１及び図４に示すように、相手回路基板上に実装される相手ハウジング４０と、複数の相手コンタクト５０と、ロック受け部材６０とを備えている。
相手ハウジング４０は、図４（Ａ），（Ｂ）に示すように、左右方向（図４（Ａ）において相手ハウジング４０の長手方向）及び左右方向と直交する前後方向（図４（Ａ）において相手ハウジング４０の短手方向）の略四角形状体状に形成される。具体的には、相手ハウジング４０は、左右方向に長く延び、前後方向に短く延びる略矩形状に形成される。相手ハウジング４０は、絶縁性の合成樹脂を成形することによって形成される。相手ハウジング４０は、ハウジング１０との嵌合面側（図４（Ａ）に上面側）において、ハウジング嵌合用凹部４１が形成されている。以降、相手コネクタ３につき、嵌合面側を上側、その反対側を下側とする。ハウジング嵌合用凹部４１は、ハウジング１０を受容可能な形状に形成され、相手ハウジング４０の左右方向及び前後方向の中央領域において相手ハウジング４０の左右方向に長く延びる略略形状に形成されている。このハウジング嵌合用凹部４１の底面の左右方向及び前後方向の中央領域には、その底面から上方に隆起する略矩形状の中央隆起部４２が設けられている。
【００２６】
相手ハウジング４０の左右方向の左端（図４（Ａ）における左端）に第１ロッ受け部材取付部４３ａが形成され、相手ハウジング４０の左右方向の右端に第２ロック受け部材取付部４３ｂが形成される。また、相手ハウジング４０の前後方向の前端（図４（Ａ）における前端）に第１側壁４４ａが形成され、相手ハウジング４０の前後方向の後端に第２側壁４４ｂが形成される。第１ロック受け部材取付部４３ａは、第１側壁部４３ａａと第２側壁部４３ａｂとを備えている。第１側壁部４３ａａは、第１側壁４４ａから相手ハウジング４０の左方向に延びる。第２側壁部４３ａｂは、第２側壁４４ｂから相手ハウジング４０の左方向に延びる。そして、第１側壁部４３ａａ及び第２側壁部４３ａｂは、ハウジング嵌合用凹部４１の底壁から立ち上がる端壁部４３ａｃによって連結されている。また、第２ロック受け部材取付部４３ｂは、第１側壁部４３ｂａと第２側壁部４３ｂｂとを備えている。第１側壁部４３ｂａは、第１側壁４４ａから相手ハウジング４０の右方向に延びる。第２側壁部４３ｂｂは、第２側壁４４ｂから相手ハウジング４０の右方向に延びる。そして、第１側壁部４３ｂａ及び第２側壁部４３ｂｂは、ハウジング嵌合用凹部４１の底壁から立ち上がる端壁部４３ｂｃによって連結されている。
【００２７】
コネクタ２が相手コネクタ３に嵌合する際に、コネクタ２のハウジング１０の第１ロック部材取付部１２ａ、第２ロック部材取付部１２ｂ、第１側壁１３ａ、及び第２側壁１３ｂがハウジング嵌合用凹部４１内に入り込む。また、相手ハウジング４０の中央隆起部４２がハウジング１０の相手ハウジング嵌合用凹部１１に入り込む。
また、複数の相手コンタクト５０は、図４（Ａ）に示すように、相手ハウジング４０の第１側壁４４ａと第２側壁４４ｂとに２列状に取り付けられている。第１側壁４４ａに取り付けられた複数の相手コンタクト５０は、コネクタ２側の複数のコンタクト２０に対応して相手ハウジング４０の左右方向に沿って所定ピッチで配置される。また、第２側壁４４ｂに取り付けられた複数の相手コンタクト５０も、コネクタ２側の複数のコンタクト２０に対応して相手ハウジング４０の左右方向に沿って所定ピッチで配置される。第１側壁４４ａに取り付けられた複数の相手コンタクト５０と、第２側壁４４ｂに取り付けられた複数の相手コンタクト５０とは、同一の形状をなし、相手ハウジング４０の長手方向に延びる中心線に対して線対称となるように配置される。
【００２８】
そして、各相手コンタクト５０は、導電性金属板を打抜き及び曲げ加工することによって形成され、接触部５１と、基板接続部５２とを備えている。第１側壁４４ａに取り付けられた相手コンタクト５０の接触部５１は、第１接触部５１ａと第１接触部５１ａに連続する第２接触部５１ｂとを備えている。第１接触部５１ａは、中央隆起部４２の前壁面に沿って取り付けられてハウジング嵌合用凹部４１内に突出している。また、第２接触部５１ｂは、第１側壁４４ａの内面に沿って取り付けられてハウジング嵌合用凹部４１内に突出している。また、第１側壁４４ａに取り付けられた相手コンタクト５０の基板接続部５２は、相手ハウジング４０の下面において第１側壁４４ａから外方（前方）に延びている。また、第２側壁４４ｂに取り付けられた相手コンタクト５０の接触部５１は、第１接触部５１ａと第１接触部５１ａに連続する第２接触部５１ｂとを備えている。第１接触部５１ａは、中央隆起部４２の後壁面に沿って取り付けられてハウジング嵌合用凹部４１内に突出している。また、第２接触部５１ｂは、第２側壁４４ｂの内面に沿って取り付けられてハウジング嵌合用凹部４１内に突出している。また、第２側壁４４ｂに取り付けられた相手コンタクト５０の基板接続部５２は、相手ハウジング４０の下面において第２側壁４４ｂから外方（後方）に延びている。各相手コンタクト５０の基板接続部５２は、相手回路基板上の信号用導電パッドに半田接続される。
【００２９】
そして、コネクタ２が相手コネクタ３に嵌合する際に、コンタクト２０の接触部２１が相手コンタクト５０の接触部５１に接触する。具体的には、コンタクト２０の第１接触部２１ａが相手コンタクト５０の第１接触部５１ａに接触し、コンタクト２０の第２接触部２１ｂが相手コンタクト５０の第２接触部５１ｂに接触する。
次に、ロック受け部材６０は、コネクタ２を相手コネクタ３に嵌合した際に、コネクタ２にあるロック部材３０のロック部３２を受けるものである。ロック受け部材６０は、第１ロック受け部材６０Ａと第２ロック受け部材６０Ｂとからなっている。
【００３０】
第１ロック受け部材６０Ａは、図４（Ａ），（Ｂ）に示すように、相手ハウジング４０の左右方向の左端に設けられた第１ロック受け部材取付部４３ａに取り付けられる。第１ロック受け部材６０Ａは、図４（Ａ），（Ｂ）及び図６に示すように、第１固定部６１、２つの第２固定部６２、２つのロック受け部６３及び８つのロック受け部材側基板接続部６４ａ〜６４ｈを備えている。第１ロック受け部材６０Ａは、導電性金属板を打抜き及び曲げ加工することによって形成される。
【００３１】
第１ロック受け部材６０Ａの第１固定部６１は、相手ハウジング４０の第１ロック受け部材取付部４３ａの端壁部４３ａｃに固定される。第１固定部６１は、第１平板部６１ａ及び第２平板部６１ｂを備えている。第１平板部６１ａは、略矩形平板状に形成され、第１ロック受け部材取付部４３ａの端壁部４３ａｃの外面（左側面）に沿うように配置される。第１平板部６１ａの前後縁には、一対のバーブ６１ａａが設けられ、これらバーブ６１ａａが第１ロック受け部材取付部４３ａの内壁に固定される。また、第２平板部６１ｂは、略矩形平板状に形成され、その上縁と第１平板部６１ａの上縁とが連結部６１ｃによって連結されている。第２平板部６１ｂは、端壁部４３ａｃの内面（右側面）に沿うように配置される。
【００３２】
また、第１ロック受け部材６０Ａの２つの第２固定部６２のそれぞれは、第１ロック受け部材取付部４３ａの第１側壁部４３ａａと、第１ロック受け部材取付部４３ａの第２側壁部４３ａｂとにそれぞれ固定される。２つの第２固定部６２のうちの第１側壁部４３ａａに固定される第２固定部６２は、第１平板部６２ａ及び第２平板部６２ｂを備えている。第１平板部６２ａは、略矩形平板状に形成され、第１側壁部４３ａａの外面（前面）に沿うように配置される。また、第２平板部６２ｂは、略矩形平板状に形成され、その上縁と第１平板部６２ａの上縁とが連結部６２ｃによって連結されている。第２平板部６２ｂは、第１側壁部４３ａａの内面（後面）に沿うように配置される。また、２つの第２固定部６２のうちの第２側壁部４３ａｂに固定される第２固定部６２は、第１平板部６２ａ及び第２平板部６２ｂを備えている。第１平板部６２ａは、略矩形平板状に形成され、第２側壁部４３ａｂの外面（後面）に沿うように配置される。また、第２平板部６２ｂは、略矩形平板状に形成され、その上縁と第１平板部６２ａの上縁とが連結部６２ｃによって連結されている。第２平板部６２ｂは、第２側壁部４３ａｂの内面（前面）に沿うように配置される。
【００３３】
更に、第１ロック受け部材６０Ａの２つのロック受け部６３は、図４（Ａ）に示すように、ハウジング嵌合用凹部４１の左端側におけるハウジング１０の前後方向の２つの角隅に対応する位置に配置される。
２つのロック受け部６３のうち前側の角隅に配置されるロック受け部６３は、図６に示すように、第１固定部６１の第２平板部６１ｂの前縁と第２固定部６２の第２平板部６２ｂの左縁とを連結する板状に形成されている。ロック受け部６３は、第２平板部６１ｂの前縁から第２平板部６２ｂの左縁にかけて斜めに延びている。
【００３４】
前側角隅のロック受け部６３には、コネクタ２側の後側角隅にあるロック部３２を受容する穴６３ａが設けられている。この穴６３ａは、ロック部３２を構成する接触片３３の一対の接触片部３３ａ，３３ｂの先端を受容し、コネクタ２の前後方向及び左右方向の移動を規制してコネクタ２をロックする。そして、この穴６３ａが一対の接触片部３３ａ，３３ｂの先端を受容した際に、一対の接触片部３３ａ，３３ｂの外面が穴６３ａの縁に弾性的に接触し電気的接続をする。ここで、一対の接触片部３３ａ，３３ｂの外面は前述したように円弧面で形成されている。そして、穴６３ａの縁は円弧面で形成された、一対の接触片部３３ａ，３３ｂの外面に沿う形を有し、一対の接触片部３３ａ，３３ｂの外面が穴６３ａの縁に線接触で接触する。
【００３５】
一方、２つのロック受け部６３のうち後側の角隅に配置されるロック受け部６３は、第１固定部６１の第２平板部６１ｂの後縁と第２固定部６２の第２平板部６２ｂの左縁とを連結する板状に形成されている。ロック受け部６３は、第２平板部６１ｂの後縁から第２平板部６２ｂの左縁にかけて斜めに延びている。
後側角隅のロック受け部６３には、コネクタ２側の前側角隅にあるロック部３２を受容する穴６３ａが設けられている。この穴６３ａは、ロック部３２を構成する接触片３３の一対の接触片部３３ａ，３３ｂの先端を受容し、コネクタ２の前後方向及び左右方向の移動を規制してコネクタ２をロックする。そして、この穴６３ａが一対の接触片部３３ａ，３３ｂの先端を受容した際に、一対の接触片部３３ａ，３３ｂの外面が穴６３ａの縁に弾性的に接触し電気的接続をする。ここで、一対の接触片部３３ａ，３３ｂの外面は前述したように円弧面で形成されている。そして、穴６３ａの縁は円弧面で形成された、一対の接触片部３３ａ，３３ｂの外面に沿う形を有し、一対の接触片部３３ａ，３３ｂの外面が穴６３ａの縁に線接触で接触する。
【００３６】
そして、８つのロック受け部材側基板接続部６４ａ〜６４ｈのうち２つのロック受け部材側基板接続部６４ａ，６４ｂは、図６（Ｂ）に示すように、第１固定部６１の第１平板部６１ａの下縁に前後に所定間隔を離して設けられる。各ロック受け部材側基板接続部６４ａ，６４ｂは、第１平板部６１ａの下縁から下方に延びてから外方（左方）に曲げられて形成される。また、２つのロック受け部材側基板接続部６４ｃ，６４ｄは、第１固定部６１の第２平板部６１ｂの下縁に前後に所定間隔を離して設けられる。各ロック受け部材側基板接続部６４ｃ，６４ｄは、第２平板部６１ｂの下縁から下方に延びている。更に、２つのロック受け部材側基板接続部６４ｅ，６４ｆは、後側の第２固定部６２の第１平板部６２ａ及び第２平板部６２ｂの下面に形成されている。また、２つのロック受け部材側基板接続部６４ｇ，６４ｈは、前側の第２固定部６２の第１平板部６２ａ及び第２平板部６２ｂの下面に形成されている。
【００３７】
ロック受け部材側基板接続部６４ａ〜６４ｈは、相手回路基板上の図示しない信号用あるいは電源用の導電パッドに接続され、信号伝送あるいは電源伝送用に用いられる。また、ロック受け部材側基板接続部６４ａ〜６４ｈは、相手回路基板上の信号用あるいは電源用の導電パッドに接続されて相手コネクタ３を相手回路基板に固定する機能をも有する。
第２ロック受け部材６０Ａは、図４（Ａ），（Ｂ）に示すように、相手ハウジング４０の左右方向の右端に設けられた第２ロック部材取付部４３ｂに取り付けられる。第２ロック受け部材６０Ａは、図４（Ａ），（Ｂ）及び図６に示すように、第１固定部６１、２つの第２固定部６２、２つのロック受け部６３及び８つのロック受け部材側基板接続部６４ａ〜６４ｈを備えている。但し、第２ロック受け部材６０Ｂは、第１ロック受け部材６０Ａと左右対称形状をなし、その構造は第２ロック受け部材６０Ａと同一であるため、その説明を省略する。
【００３８】
次に、本発明の作用について図１及び図２、図７乃至図９を参照して説明する。
先ず、図２に示すように、コネクタ２の嵌合面を下側にして、図１に示すように、相手コネクタ３に相手コネクタ３の嵌合面側から嵌合する。この際に、コネクタ２のハウジング１０を相手コネクタ３の嵌合用凹部４１内に挿入する。
すると、相手コネクタ３側の中央隆起部４２がコネクタ２側の相手ハウジング嵌合用凹部１１内に入り込む。また、コネクタ２側の第１ロック部材取付部１２ａ及び第１ロック部材３０Ａ、第２ロック部材取付部１２ｂ及び第２ロック部材３０Ｂ、第１側壁１３ａ及び第２側壁１３ｂが相手コネクタ３の嵌合用凹部４１内に入り込む。
【００３９】
これにより、コネクタ２側のコンタクト２０の接触部２１が相手コネクタ３側の相手コンタクト５０の接触部５１に接触する。具体的には、コネクタ２側のコンタクト２０の第１接触部２１ａが相手コネクタ３側の相手コンタクト５０の第１接触部５１ａに接触する。また、コンタクト２０の第２接触部２１ｂが相手コンタクト５０の第２接触部５１ｂに接触する。これにより、回路基板側の信号用導電パッドと相手回路基板の信号用導電パッドとが電気的に接続される。
【００４０】
また、このとき、コネクタ２側の第１ロック部材３０Ａが相手コネクタ３側の第１ロック受け部材６０Ａによってロックされ、コネクタ２側の第２ロック部材３０Ｂが相手コネクタ３側の第２ロック受け部材６０Ｂによってロックされる。
これを具体的に説明すると、第１ロック部材３０Ａの各ロック部３２を構成する一対の接触片部３３ａ，３３ｂは、図７乃至図９に示すように、相手コネクタ３の各ロック受け部６３の穴６３ａにそれらの先端が入り込む。これにより、コネクタ２を相手コネクタ３にロックする。第２ロック部材３０Ｂの各ロック部３２を構成する一対の接触片部３３ａ，３３ｂについても同様である。
【００４１】
この各ロック部３２のロックの際に、一対の接触片部３３ａ，３３ｂの先端は、ロック受け部６３の内面に沿いつつ、穴６３ａの縁のところで図８（Ａ）における下方に捩れるようにして互いに閉じ、穴６３ａに入り込む。これにより、図８（Ａ），（Ｂ）及び図９（Ａ），（Ｂ）に示すように、第１ロック部材３０Ａ及び第２ロック受け部材３０Ｂの上方への移動は規制される。このため、第１ロック部材３０Ａ及び第２ロック受け部材３０Ｂを取り付けたコネクタ２の上方への移動は規制される。
【００４２】
ここで、第１ロック部材取付部１２ａの前側角隅にあるロック部３２について考える。このロック部３２を構成する一対の接触片部３３ａ，３３ｂのうち一方の接触片部３３ａは、ロック部材側基板接続部３１の左端縁から第１ロック部材取付部１２ａの左端面に沿って略Ｌ字状に延びている。接触片部３３ａの先端は、第１ロック部材取付部１２ａの前側角隅近傍に位置する。また、他方の接触片部３３ｂは、ロック部材側基板接続部３１の前端縁から第１ロック部材取付部１２ａの前端面に沿って略Ｌ字状に延びている。接触片部３３ｂの先端は、第１ロック部材取付部１２ａの前側角隅近傍に位置する。このため、第１ロック部材取付部１２ａの前側角隅が、左端面に沿う一方の接触片部３３ａと、前端面に沿う他方の接触片部３３ｂで抱え込むようになっている。このため、一対の接触片部３３ａ，３３ｂの先端がロック受け部６３の穴６３ａに入り込むと、前側角隅近傍で第１ロック部材取付部１２ａの左方向の移動が一方の接触片部３３ａで規制される。また、前側角隅近傍で第１ロック部材取付部１２ａの前方向の移動が他方の接触片部３３ａで規制される。
【００４３】
これと同様に、第１ロック部材取付部１２ａの後側角隅にあるロック部３２について考える。一対の接触片部３３ａ，３３ｂの先端が後側角隅のロック受け部６３の穴６３ａに入り込む。すると、後側角隅近傍で第１ロック部材取付部１２ａの左方向の移動が一方の接触片部３３ａで規制される。また、後側角隅近傍で第１ロック部材取付部１２ａの後方向の移動が他方の接触片部３３ａで規制される。
【００４４】
また、同様に、第２ロック部材３０Ｂの各ロック部３２を構成する一対の接触片部３３ａ，３３ｂは、相手コネクタ３の各ロック受け部６３の穴６３ａにそれらの先端が入り込み、コネクタ２を相手コネクタ３にロックする。
ここで、同様に、第２ロック部材取付部１２ｂの前側角隅にあるロック部３２について考える。このロック部３２を構成する一対の接触片部３３ａ，３３ｂのうち一方の接触片部３３ａは、ロック部材側基板接続部３１の右端縁から第２ロック部材取付部１２ｂの右端面に沿って略Ｌ字状に延びている。接触片部３３ａの先端は、第２ロック部材取付部１２ｂの前側角隅近傍に位置する。また、他方の接触片部３３ｂは、ロック部材側基板接続部３１の前端縁から第２ロック部材取付部１２ｂの前端面に沿って略Ｌ字状に延びている。接触片部３３ｂの先端は、第２ロック部材取付部１２ｂの前側角隅近傍に位置する。このため、第２ロック部材取付部１２ｂの前側角隅が、右端面に沿う一方の接触片部３３ａと、前端面に沿う他方の接触片部３３ｂで抱え込むようになっている。このため、一対の接触片部３３ａ，３３ｂの先端がロック受け部６３の穴６３ａに入り込むと、前側角隅近傍で第２ロック部材取付部１２ｂの右方向の移動が一方の接触片部３３ａで規制される。また、前側角隅近傍で第２ロック部材取付部１２ｂの前方向の移動が他方の接触片部３３ａで規制される。
【００４５】
これと同様に、第２ロック部材取付部１２ｂの後側角隅にあるロック部３２について考える。一対の接触片部３３ａ，３３ｂの先端が後側角隅のロック受け部６３の穴６３ａに入り込む。すると、後側角隅近傍で第２ロック部材取付部１２ｂの右方向の移動が一方の接触片部３３ａで規制される。また、後側角隅近傍で第２ロック部材取付部１２ｂの後方向の移動が他方の接触片部３３ａで規制される。
【００４６】
このように、第１ロック部材３０Ａの２つのロック部３２及びそれを受けるロック受け部６３で、ハウジング１０の左端にある第１ロック部材取付部１２ａの前後２つの角隅において、ハウジング１０の前後方向及び左方向の移動を規制する。また、第２ロック部材３０Ｂの２つのロック部３２及びそれを受けるロック受け部６３で、ハウジング１０の右端にある第２ロック部材取付部１２ｂの前後２つの角隅において、ハウジング１０の前後方向及び右方向の移動を規制する。このため、コネクタ２を相手コネクタ３に嵌合した際に、コネクタ２の前後方向及び左右方向の移動は規制され、コネクタ２を相手コネクタ３に対して強固にロックすることができる。
【００４７】
このように、コネクタ２を相手コネクタ３に嵌合した際に、各ロック部３２及び各ロック受け部６３により、コネクタ２の上方向（嵌合方向）、前後方向及び左右方向の移動を規制できる。このため、コネクタ組立体１におけるロック機構の耐衝撃性を高めることができ、コネクタ組立体１が落下等してもコネクタ２が相手コネクタ３から離脱する危険性を極力小さくすることができる。
【００４８】
これに対して、特許文献１に記載されたコネクタ組立体においては、コネクタのロック部は、相手コネクタのロック受け部に受け入れられる。この際に、ロック部及びロック受け部は、コネクタのハウジングの短手方向（前後方向）のみの移動を規制できるにすぎず、ハウジングの長手方向（左右方向）の移動を適切に規制できない。このため、コネクタ組立体におけるロック機構の耐衝撃性、特にハウジングの長手方向（左右方向）の耐衝撃性が低いという問題がある。
【００４９】
また、各ロック部３２のロックの際に、ロック受け部６３の穴６３ａが接触片３３を構成する一対の接触片部３３ａ，３３ｂの先端を受容する。この際に、一対の接触片部３３ａ，３３ｂの外面が穴６３ａの縁に弾性的に接触して電気的に接続する。このため、第１ロック部材３０Ａ及び第１ロック受け部材６０間と、第２ロック受け部材３０Ｂ及び第２ロック受け部材６０Ｂ間とが電気的に導通可能となる。これにより、ロック部材３０及びロック受け部材６０を介して、回路基板と相手回路基板との間に電気信号を伝送することができる。
【００５０】
また、一対の接触片部３３ａ，３３ｂの外面は円弧面で形成されている。そして、穴６３ａの縁は円弧面で形成された、一対の接触片部３３ａ，３３ｂの外面に沿う形を有し、一対の接触片部３３ａ，３３ｂの外面が穴６３ａの縁に線接触で接触する。このため、一対の接触片部３３ａ，３３ｂの外面が穴６３ａの縁に点接触するよりも接触領域が大きくなるので、回路基板と相手回路基板との間の電力伝送に特に好適なものとすることができる。
【００５１】
また、接触片３３は、一対の接触片部３３ａ，３３ｂで構成されているので、いずれか一方の接触片部３３ａあるいは３３ｂがロック受け部６３の穴６３ａの縁に接触すれば電気的導通が可能となる。このため、接触片３３を一つの接触片部で構成するよりも、電気的導通の信頼性を高めることができる。
以上、本発明の実施形態について説明してきたが、本発明はこれに限定されずに種々の変更、改良を行うことができる。
【００５２】
例えば、ロック部材３０は、第１ロック部材３０Ａと第２ロック部材３０Ｂとで構成されているが、一体で構成してもよい。
また、ロック受け部材６０は、第２ロック受け部材６０Ａと第２ロック受け部材６０Ｂとで構成されているが、一体で構成してもよい。
あるいは、２つのロック部３２，３２及び２つのロック受け部６３，６３は、それぞれロック部材側基板接続部３１及び第１固定部６１により一体化されていたが、独立して形成してもよい。
【００５３】
また、接触片３３は、一対の接触片部３３ａ，３３ｂで構成されているが、一つの接触片部で構成してもよいし、３つ以上の接触片部で構成してもよい。
また、ロック部３２は、接触片３３で構成されているが、接触片３３をロック受け部６３に弾性的に接触する機能を専用とし、ロック機能を有する部分をそれ以外に設けてもよい。
【００５４】
また、一対の接触片部３３ａ，３３ｂの外面は必ずしも円弧面で形成されている必要はない。また、穴６３ａの縁は円弧面で形成された一対の接触片部３３ａ，３３ｂの外面に沿う形を有する必要は必ずしもない。
また、ロック部材側基板接続部３１は、第１ロック部材３０Ａ及び第２ロック部材３０Ｂのそれぞれにつき１つでなくてもよい。また、ロック受け部材側基板接続部６４ａ〜６４ｈは、第１ロック受け部材６０Ａ及び第２ロック受け部材６０Ｂのそれぞれにつき８個でなくてもよい。
【００５５】
更に、コネクタ組立体は、基板対基板コネクタ組立体であったが、電線対基板コネクタ組立体等の他のタイプのコネクタ組立体であってもよい。
また、ハウジング１０は、左右方向に長く延び、前後方向に短く延びる略矩形状に形成される必要は必ずしもなく、左右方向と前後方向との長さが略均しい略四角形状体状であってもよい。
【符号の説明】
【００５６】
１  コネクタ組立体
２  コネクタ
３  相手コネクタ
１０  ハウジング
３０  ロック部材
３０Ａ  第１ロック部材
３０Ｂ  第２ロック部材
３１  ロック部材側基板接続部
３２  ロック部
３３  接触片
３３ａ，３３ｂ  接触片部
４０  相手ハウジング
４１  ハウジング嵌合用凹部
６０  ロック受け部材
６０Ａ  第１ロック受け部材
６０Ｂ  第２ロック受け部材
６３  ロック受け部
６４ａ〜６４ｈ  ロック受け部材側基板接続部
【図１】
2016110706.tif 000003
【図２】
2016110706.tif 000004
【図３】
2016110706.tif 000005
【図４】
2016110706.tif 000006
【図５】
2016110706.tif 000007
【図６】
2016110706.tif 000008
【図７】
2016110706.tif 000009
【図８】
2016110706.tif 000010
【図９】
2016110706.tif 000011